(57)【要約】【課題】多系統の冷媒系統を含むシステムにおいても、短時間で自動的に冷媒系統アドレス設定を行い、冷媒配管系統の確認が容易にできるようにする。【解決手段】室外機のアドレスを設定する室外アドレス設定ユニット１００と、室外自動アドレス開始を送信する室外自動アドレス開始部１０１と、室外機に決定アドレスを送信する室外アドレス決定部１０２と、室外機４ａ〜４ｃと、室外アドレス設定ユニット及び室内機と通信を行う室外通信部６ａ〜６ｃと、室外機のアドレス設定信号の優先順位を比較する室外通信監視部１０ａ〜１０ｃと、決定された室外アドレスを記憶するアドレス記憶部９ａ〜９ｃで構成することによって、短時間で自動的に冷媒系統アドレスが設定でき、冷媒配管系統の確認が容易にできるものである。【選択図】図１
2005098567.tif 000002
【特許請求の範囲】
【請求項１】
室外アドレス設定ユニットに設けられ、室外機アドレスの自動設定を開始する室外自動アドレス開始部と、前記室外アドレス設定ユニットに設けられ、前記室外機に決定アドレス及び室外機アドレス自動設定完了データを送信する室外アドレス決定部と、室外機に設けられ、室外アドレス設定ユニット及び室内機と通信を行う室外通信部と、前記室外機に設けられ、前記室外アドレス設定ユニットからのアドレス設定開始信号に対する、前記室外機のアドレス設定要求信号の優先順位を比較する室外通信監視部と、前記室外機に設けられ、決定された室外機アドレスを記憶するアドレス記憶部を備えたことを特徴とする空気調和機。
【請求項２】
複数の冷媒系統にて構成される空気調和機において、室外機に設けられ、室内機の冷媒系統アドレス設定の自動設定を開始する室外冷媒系統自動アドレス開始部と、前記室外機に設けられ、冷媒を配管接続にて前記室内機に供給する圧縮機と、前記室外機に設けられ、前記室内機の室内通信部に対し、前記圧縮機の冷媒温度と室外アドレスを同一電文にて送信する室外通信部と、前記室内機に設けられ、前記室外機から前記圧縮機の冷媒温度と室外アドレスを受信する室内通信部と、前記室内機に設けられ、前記室内通信部が受信した冷媒温度と前記室内機の熱交温度が、所定の温度差以内であるかどうかを判断する比較部と、前記室内機に設けられ、前記比較部にて所定温度以内であれば、前記室外通信部から受信した冷媒温度と同一電文内の室外アドレスを、冷媒系統アドレスとして記憶する冷媒系統アドレス記憶部を備えたことを特徴とする請求項１記載の空気調和機。
【請求項３】
室外機に設けられ、室外アドレスを記憶するアドレス記憶部と、前記室外機に設けられ、室外アドレス及び配管接続室内機の室内アドレスを表示する室外アドレス表示部と、前記室外機に設けられ室内機に対し冷媒系統アドレス送信要求信号を送信し、前記室内機からの室内アドレスを含む冷媒系統アドレスを受信する室外通信部と、前記室内機に設けられ、冷媒系統アドレスを記憶する冷媒系統アドレス記憶部と、前記室内機に設けられ、前記冷媒系統アドレス送信要求信号を受信することで、冷媒系統アドレス記憶部の冷媒系統アドレスを送信する室内通信部を備えたことを特徴とする請求項１または請求項２記載の空気調和機。
【請求項４】
アドレス確認ユニットに設けられ、室外機に対し、室外アドレス送信要求信号、室内機に対し、室内アドレス送信要求信号、及び前記室内機に対し、冷媒系統アドレス送信要求信号をそれぞれ送信し、前記室外機及び前記室内機からのアドレスを受信するアドレス確認ユニット通信部と、前記アドレス確認ユニットに設けられ、室外アドレス、室内アドレス、及び冷媒系統アドレスを室外アドレス毎に表示するアドレス確認ユニットアドレス表示部と、前記室外機に設けられ、室外アドレスを記憶しているアドレス記憶部と、前記室外機に設けられ、室外アドレス送信要求信号に対し、前記アドレス記憶部から室外アドレスを読み出し、室外アドレスを送信する室外通信部と、前記室内機に設けられ、冷媒系統アドレスを記憶している冷媒系統アドレス記憶部と、前記室内機に設けられ、室内アドレス送信要求信号及び冷媒系統アドレス送信要求信号に対し、室内アドレス、及び前記冷媒系統アドレス記憶部から読み出した冷媒系統アドレスを送信する室内通信部を備えたことを特徴とする請求項１または請求項２記載の空気調和機。
【請求項５】
複数の冷媒系統にて構成される空気調和機において、冷媒系統アドレス設定ユニットに設けられ、室内機の冷媒系統アドレス設定の自動設定を開始する冷媒系統自動アドレス開始部と、前記冷媒系統アドレス設定ユニットに設けられ、冷媒系統自動アドレス開始信号を室内機及び室外機に対して送信するアドレス設定ユニット通信部と、前記冷媒系統アドレス設定ユニットに設けられ、複数台の室外機を順番に全室外機自動設定指示を行う冷媒系統自動アドレス監視部と、前記室外機に設けられ、冷媒を配管接続にて室内機に供給する
圧縮機と、前記室外機に設けられ、前記冷媒系統アドレス設定ユニット通信部からの冷媒系統自動アドレス開始信号を受信することで、前記室内機の室内通信部に対し、前記圧縮機の冷媒温度と室外アドレスを同一電文にて送信する室外通信部と、前記室内機に設けられ、前記室外機から前記圧縮機の冷媒温度と室外アドレスを受信する室
内通信部と、前記室内機に設けられ、前記室内通信部が受信した冷媒温度と前記室内機の熱交温度が、所定の温度差以内であるかどうかを判断する比較部と、前記室内機に設けられ、前記比較部にて所定温度以内であれば、前記室外通信部から受信した冷媒温度と同一電文内の室外アドレスを、冷媒系統アドレスとして記憶する冷媒系統アドレス記憶部を備えたことを特徴とする請求項１または請求項３または請求項４記載の空気調和機。
【発明の詳細な説明】
【技術分野】
【０００１】
本発明は、複数の室外機で構成された空気調和機で、室外機アドレスを自動設定するアドレス設定装置に関するものである。
【背景技術】
【０００２】
従来の空気調和機でも室外機アドレスを自動設定するものがあった（例えば特許文献１参照）。図６は前記特許文献１に記載された従来の空気調和機のアドレス設定装置の構成を示すブロック図である。
【０００３】
図６において、１０はアドレス設定ユニット、２０はアドレス設定部、２１〜２３は室外通信部、３１〜３３は通信監視部、１１〜１３は室外機である。
【０００４】
以上のように構成された空気調和機について、以下その動作を説明する。
【０００５】
アドレス設定部２０が、電源投入より所定時間経過後、室外自動アドレス開始信号を室外通信部２１〜２３に送信する。室外自動アドレス開始信号を受信した室外通信部２１〜２３は任意のデ−タを含む要求信号をアドレス設定部２０に送信する。通信監視部３１〜３３は要求信号の任意のデータを監視し、優先順位が低ければ、競合負け信号を室外通信部２１〜２３に出力する。任意のデ−タを含む要求信号を受信したアドレス設定部２０は、室外アドレスを含むアドレス設定信号を室外通信部２１〜２３に送信する。競合負け信号を受信していない室外機の室外通信部のみがアドレス設定信号を受信することで、室外アドレスを自動で設定していた。
【特許文献１】特開平１０−１９３４７号公報
【発明の開示】
【発明が解決しようとする課題】
【０００６】
しかしながら、前記従来の構成では、全室外機の電源投入後、アドレス設定ユニットの電源を投入する必要がある。また、室外アドレスを自動で設定しても、室内機の冷媒系統アドレスを設定する必要があるため、工事上、冷媒系統アドレスを設定しにくくなるという課題を有していた。また、他系統の冷媒系統を同一通信上に配線することから、冷媒系統アドレスが多く、間違いを発見することが非常に困難であるという課題も有していた。
【０００７】
本発明はこのような従来の課題を解決するものであり、室外アドレスのみならず室内機の冷媒系統アドレスまで短時間で自動的に設定し、冷媒系統図を簡易に表示させることができる。また冷媒系統を増設時、アドレスを再設定できる空気調和機を提供することを目的とする。
【課題を解決するための手段】
【０００８】
前記従来の課題を解決するために本発明の空気調和機は、アドレス設定ユニットに設けられ、室外機アドレスの自動設定を開始する室外自動アドレス開始部と、前記アドレス設定ユニットに設けられ、室外機に決定アドレスを送信する室外アドレス決定部と、室外機に設けられ、アドレス設定ユニット及び室内機と通信を行う室外通信部と、前記室外機に設けられ、アドレス設定ユニットからのアドレス設定開始信号に対する、室外機のアドレス設定要求信号の優先順位を比較する室外通信監視部と、前記室外機に設けられ、決定されたアドレスを記憶するアドレス記憶部で構成するものである。
【０００９】
上記構成によって室外アドレス及び冷媒系統アドレスが短時間で自動的に設定できる。
また冷媒系統を増設時、室外アドレス及び冷媒系統アドレスを再設定できる。
【発明の効果】
【００１０】
以上のように、本発明の空気調和機によれば、多系統の冷媒系統を含むシステムにおいても、短時間で自動的に冷媒系統アドレスが設定でき、冷媒配管系統の確認が容易にできるという効果を奏する。
【発明を実施するための最良の形態】
【００１１】
以下本発明の実施の形態について図面を参照して説明する。
【００１２】
（実施の形態１）
図１は、本発明の実施の形態１における空気調和機の機能ブロック図である。
【００１３】
図１において、１００は室外機のアドレスを設定する室外アドレス設定ユニット、１０１は室外自動アドレス開始を送信する室外自動アドレス開始部、１０２は室外機に決定アドレスを送信する室外アドレス決定部、４ａ〜４ｃ  は室外機、６ａ〜６ｃは室外アドレス設定ユニット及び室内機（図示せず）と通信を行う室外通信部、１０ａ〜１０ｃは室外機のアドレス設定信号の優先順位を比較する室外通信監視部、９ａ〜９ｃは決定された室外アドレスを記憶するアドレス記憶部である。
【００１４】
以上の要素で構成された空気調和機について、以下その動作を説明する。
【００１５】
室外アドレス設定ユニット１００の室外自動アドレス開始部１０１にて室外機アドレス自動設定開始となれば、室外機４ａ〜４ｃに対し、室外自動アドレス開始信号を送信する。室外アドレス設定ユニット１００から、室外自動アドレス開始信号を受信した室外機４ａ〜４ｃは、優先順位を含む、アドレス設定要求信号を送信開始する。アドレス設定要求信号を送信中に、送信アドレス設定要求信号の優先順位よりも高い優先順位のアドレス設定要求信号を受信して優先順位を室外通信監視部１０ａ〜１０ｃで比較して優先順位の低い室外機４ａ〜４ｃは、アドレス設定要求信号の送信を止めることで、優先順位の一番高い室外機４ａ〜４ｃのいずれかが送信を完了する。室外アドレス設定ユニット１００の室外アドレス決定部１０２は送信を完了した室外機４ａ〜４ｃのいずれかに対し、決定した室外機アドレスを含む室外機アドレス自動設定完了データを送信する。この室外機アドレス自動設定完了データを室外通信部６ａ〜６ｃで受信した室外機４ａ〜４ｃは、受信した室外機アドレスをアドレス記憶部９ａ〜９ｃに記憶する。全室外機が室外機アドレス自動設定完了データを受信するまで、上記動作を繰り返し、全室外機の室外アドレスが、電源を入れる順番に関係なく設定できる。
【００１６】
（実施の形態２）
図２は、本発明の実施の形態２における空気調和機の機能ブロック図である。
【００１７】
図２において、１ａ〜１ｆは室内機、４ａ〜４ｂは室外機、３ａ〜３ｆは室外機４ａ〜４ｂから圧縮機の冷媒温度と室外アドレスを受信する室内通信部、２ａ〜２ｆは室外機４ａ〜４ｂから受信した圧縮機の冷媒温度と室内機１ａ〜１ｆの熱交温度が所定の温度差以内であるかどうかを判断する比較部、６ａ〜６ｂは冷媒系統アドレス自動設定開始信号及び圧縮機の冷媒温度と室外アドレスを同一電文にて送信する室外通信部、８ａ〜８ｆは比較部２ａ〜２ｆからの所定温度以内信号にて、室外通信部６ａ〜６ｂから受信した冷媒温度と同一電文内の室外アドレスを冷媒系統アドレスとして記憶する冷媒系統アドレス記憶部、５ａ〜５ｂは冷媒を配管接続にて室内機１ａ〜１ｆに供給する圧縮機、７ａ〜７ｂは冷媒系統自動アドレス開始を送信する室外冷媒系統自動アドレス開始部である。
【００１８】
以上のように構成された空気調和機について、以下その動作を説明する。
【００１９】
室外冷媒系統自動アドレス開始部７ａ〜７ｂにて、冷媒系統アドレス自動設定開始となれば、室内機１ａ〜１ｆの室内通信部３ａ〜３ｆ、及び他の室外機４ａ〜４ｂの室外通信部６ａ〜６ｂに対して、冷媒系統アドレス自動設定開始信号を送信するとともに、圧縮機５ａ〜５ｂを所定時間運転させる。冷媒系統アドレス自動設定開始信号を受信した室外通信部６ａ〜６ｂは、圧縮機５ａ〜５ｂを停止させる。冷媒系統アドレス自動設定開始となった室外機４ａ〜４ｂの室外通信部６ａ〜６ｂは、室内機１ａ〜１ｆの室内通信部３ａ〜３ｆに対し、圧縮機５ａ〜５ｂの冷媒温度と室外アドレスを同一電文にて送信する。冷媒温度と室外アドレスを受信した室内通信部３ａ〜３ｆは、冷媒温度と室外アドレスを比較部２ａ〜２ｆに送信する。冷媒温度と室外アドレスを受信した比較部２ａ〜２ｆは、冷媒温度と熱交温度の差が、所定の温度差以内であるかどうかを判断し、所定の温度差以内であれば、室外アドレスを冷媒系統アドレスとして、冷媒系統アドレス記憶部８ａ〜８ｆに記憶させる。上記動作を全室外機４ａ〜４ｂにて行うことで、全室内機１ａ〜１ｂの冷媒系統アドレスが短時間で自動的に設定できる。
【００２０】
（実施の形態３）
図３は、本発明の実施の形態３における空気調和機の機能ブロック図である。
【００２１】
図３において、１ａ〜１ｆは室内機、４ａ〜４ｂは室外機、９ａ〜９ｂは室外アドレスを記憶するアドレス記憶部、１１ａ〜１１ｂは室外アドレス及び接続室内機１ａ〜１ｆの室内アドレスを表示する室外アドレス表示部、６ａ〜６ｂは室内機１ａ〜１ｆに対し冷媒系統アドレス送信要求信号を送信し室内機１ａ〜１ｆからの室内アドレスを含む冷媒系統アドレスを受信する室外通信部、８ａ〜８ｆは冷媒系統アドレスを記憶する冷媒系統アドレス記憶部、３ａ〜３ｆは冷媒系統アドレス送信要求信号を受信することで冷媒系統アドレス記憶部８ａ〜８ｆの冷媒系統アドレスを送信する室内通信部である。
【００２２】
以上のように構成された空気調和機について、以下その動作を説明する。
【００２３】
室外機１ａ〜１ｆの室外アドレス表示部１１ａ〜１１ｂにてアドレス表示モードとなれば、室外通信部６ａ〜６ｂは室内機１ａ〜１ｆの室内通信部３ａ〜３ｆに対し、冷媒系統アドレス送信要求信号を送信するとともに、アドレス記憶部９ａ〜９ｂから室外アドレスを読み出す。冷媒系統アドレス送信要求信号を受信した室内通信部３ａ〜３ｆは、冷媒系統アドレス記憶部８ａ〜８ｆから冷媒系統アドレスを読み出し、室内アドレスを含む冷媒系統アドレス信号を、室外通信部６ａ〜６ｂに対し送信する。室内アドレスを含む冷媒系統アドレス信号を受信した室外通信部６ａ〜６ｂは、受信した室内アドレスと冷媒系統アドレスを、室外アドレス表示部１１ａ〜１１ｂに送信する。室内アドレスと冷媒系統アドレスを受信した室外アドレス表示部１１ａ〜１１ｂは、冷媒系統アドレスとアドレス記憶部から読み出した室外アドレスが、同一であれば室外機４ａ〜４ｂに配管接続設定されている室内機であると判断し、室外通信部６ａ〜６ｂから受信した室内アドレスと、アドレス記憶部９ａ〜９ｂから読み出した室外アドレスを同時に表示する。上記動作を行うことで、配管接続設定されている室内機のアドレスを室外アドレスとともに表示することができる。
【００２４】
（実施の形態４）
図４は、本発明の実施の形態４における空気調和機の機能ブロック図である。
【００２５】
図４において、１ａ〜１ｆは室内機、８ａ〜８ｆは室内機の冷媒系統アドレスを記憶している冷媒系統アドレス記憶部、３ａ〜３ｆは室内アドレス送信要求信号及び冷媒系統アドレス送信要求信号に対し、室内アドレス及び冷媒系統アドレス記憶部８ａ〜８ｆから読
み出した冷媒系統アドレスを送信する室内通信部、４ａ〜４ｂは室外機、９ａ〜９ｂは室外アドレスを記憶しているアドレス記憶部、６ａ〜６ｂは室外アドレス送信要求信号に対し、前記アドレス記憶部９ａ〜９ｂから室外アドレスを読み出し室外アドレスを送信する室外通信部、１０３はアドレス確認ユニット、１０４は室外機４ａ〜４ｂに対し室外アドレス送信要求信号、室内機１ａ〜１ｆに対し室内アドレス送信要求信号、及び冷媒系統アドレス送信要求信号をそれぞれ送信し、室外機４ａ〜４ｂ及び室内機１ａ〜１ｆからのアドレスを受信するアドレス確認ユニット通信部、１０５はアドレス確認ユニット通信部１０４が受信したアドレスを表示するアドレス確認ユニットアドレス表示部である。
【００２６】
以上のように構成された空気調和機について、以下その動作を説明する。
【００２７】
アドレス確認ユニット１０３のアドレス確認ユニット通信部１０４から、室内機１ａ〜１ｆの室内通信部３ａ〜３ｆに対し、室内アドレス送信要求信号及び、冷媒系統アドレス送信要求信号を送信するとともに、室外機４ａ〜４ｂの室外通信部６ａ〜６ｂに対し、室外アドレス送信要求信号を送信する。室内アドレス送信要求信号及び、冷媒系統アドレス送信要求信号を受信した室内通信部３ａ〜３ｆは、冷媒系統アドレス記憶部８ａ〜８ｆから冷媒系統アドレスを読み出し、室内アドレスと同一電文にて、アドレス確認ユニット通信部１０４に対し送信する。また、室外アドレス送信要求信号を受信した室外通信部６ａ〜６ｂは、アドレス記憶部９ａ〜９ｂから室外アドレスを読み出し、アドレス確認ユニット通信部１０４に対し送信する。室外アドレス、室内アドレス及び冷媒系統アドレスを受信したアドレス確認ユニット通信部１０４は、受信アドレスをアドレス確認ユニットアドレス表示部１０５に送信する。アドレス確認ユニット通信部１０４から、室外アドレス、室内アドレス及び冷媒系統アドレスを受信したアドレス確認ユニットアドレス表示部１０５は、室外アドレスと同一の冷媒系統アドレスを受信した電文に含まれる室内アドレスを、全て表示する。上記動作を行うことで、複数の冷媒系統を含むシステムにおいても、配管接続設定されている室内機のアドレスと室外機のアドレスを全て表示し、全ての冷媒配管系統が一箇所で表示することができる。
【００２８】
（実施の形態５）
図５は、本発明の実施の形態４における空気調和機の機能ブロック図である。
【００２９】
図５において、１ａ〜１ｆは室内機、４ａ〜４ｂは室外機、５ａ〜５ｂは冷媒を配管接続にて室内機に供給する圧縮機、３ａ〜３ｆは室外機４ａ〜４ｂから圧縮機の冷媒温度と室外アドレスを受信する室内通信部、６ａ〜６ｂは冷媒系統アドレス自動設定開始信号を受信及び圧縮機５ａ〜５ｂの冷媒温度と室外アドレスを同一電文にて送信する室外通信部、２ａ〜２ｆは室外機４ａ〜４ｂから受信した圧縮機５ａ〜５ｂの冷媒温度と室内機１ａ〜１ｆの熱交温度が所定の温度差以内であるかどうかを判断する比較部、８ａ〜８ｆは比較部２ａ〜２ｆからの所定温度以内信号にて、室外通信部６ａ〜６ｂから受信した冷媒温度と同一電文内の室外アドレスを冷媒系統アドレスとして記憶する冷媒系統アドレス記憶部、１０６は冷媒系統アドレス設定ユニット、１０７は冷媒系統自動アドレス設定を開始する冷媒系統自動アドレス開始部、１０９は冷媒系統自動アドレス開始部にて冷媒系統自動アドレス設定時に冷媒系統自動アドレス開始信号を送信するアドレス設定ユニット通信部、１０８は複数の冷媒系統で順番に冷媒系統自動アドレスを実行させる冷媒系統自動アドレス監視部である。
【００３０】
以上のように構成された空気調和機について、以下その動作を説明する。
冷媒系統アドレス設定ユニット１０６の冷媒系統自動アドレス開始部１０７から、冷媒系統自動アドレス開始となれば、アドレス設定ユニット通信部１０９が、冷媒系統自動アドレス開始信号を室外機４ａ〜４ｂの室外通信部６ａ〜６ｂ及び室内機１ａ〜１ｆの室内通信部３ａ〜３ｆに送信する。また、冷媒系統自動アドレス監視部１０８が、アドレス設定
ユニット通信部１０９に対し、室外アドレスを含む運転開始信号を送信する。室外アドレスを含む運転開始信号を受信したアドレス設定ユニット通信部１０９は、受信した室外アドレスの室外機４ａ〜４ｂの室外通信部６ａ〜６ｂに対し、運転開始信号を送信する。室外機４ａ〜４ｂの室外通信部６ａ〜６ｂは、冷媒系統自動アドレス開始信号のみを受信した場合は、圧縮機５ａ〜５ｂを停止させる。また、冷媒系統自動アドレス開始信号と運転開始信号を受信した場合は、圧縮機５ａ〜５ｂを運転させる。圧縮機５ａ〜５ｂを運転させた室外通信部６ａ〜６ｂは、圧縮機５ａ〜５ｂの冷媒温度と室外アドレスを室内機１ａ〜１ｆの室内通信部３ａ〜３ｆに対し、同一電文にて送信する。冷媒温度と室外アドレスを受信した室内通信部３ａ〜３ｆは、冷媒温度と室外アドレスを比較部２ａ〜２ｆに送信する。冷媒温度と室外アドレスを受信した比較部２ａ〜２ｆは、冷媒温度と熱交温度の差が、所定の温度差以内であるかどうかを判断し、所定の温度差以内であれば、室外アドレスを冷媒系統アドレスとして、冷媒系統アドレス記憶部８ａ〜８ｆに記憶させる。上記動作開始所定時間経過後、冷媒系統自動アドレス監視部１０８が、アドレス設定ユニット通信部１０９に対し、次の室外アドレスを含む運転開始信号を送信する。上記動作を繰り返し、全室外機４ａ〜４ｂの室外アドレスに対し運転開始信号を送信することで、複数の冷媒系統を含むシステムにおいても、全冷媒系統の冷媒系統アドレス設定が短時間で自動的に設定できる。
【産業上の利用可能性】
【００３１】
以上のように本発明の空気調和機は、室外機アドレスを自動設定することができ、複数の室外機で構成される大規模空調システムとして有用である。
【図面の簡単な説明】
【００３２】
【図１】本発明の実施の形態１における空気調和機の機能ブロック図
【図２】本発明の実施の形態２における空気調和機の機能ブロック図
【図３】本発明の実施の形態３における空気調和機の機能ブロック図
【図４】本発明の実施の形態４における空気調和機の機能ブロック図
【図５】本発明の実施の形態５における空気調和機の機能ブロック図
【図６】従来の空気調和機の機能ブロック図
【符号の説明】
【００３３】
１ａ〜１ｆ  室内機
２ａ〜２ｆ  比較部
３ａ〜３ｆ  室内通信部
４ａ〜４ｂ  室外機
５ａ〜５ｂ  圧縮機
６ａ〜６ｂ  室外通信部
７ａ〜７ｂ  室外冷媒系統自動アドレス開始部
８ａ〜８ｆ  冷媒系統アドレス記憶部
９ａ〜９ｃ  アドレス記憶部
１０ａ〜１０ｃ  室外通信監視部
１００  室外アドレス設定ユニット
１０１  室外自動アドレス開始部
１０２  室外アドレス決定部
１０３  アドレス確認ユニット
１０４  アドレス確認ユニット通信部
１０５  アドレス確認ユニットアドレス表示部
１０６  冷媒系統アドレス設定ユニット
１０７  冷媒系統自動アドレス開始部
１０８  冷媒系統自動アドレス監視部  
１０９  アドレス設定ユニット通信部
【図１】
2005098567.tif 000003
【図２】
2005098567.tif 000004
【図３】
2005098567.tif 000005
【図４】
2005098567.tif 000006
【図５】
2005098567.tif 000007
【図６】
2005098567.tif 000008